(57)【要約】      （修正有）【課題】台板の下面を平坦面に形成して卓上に安定的に載置可能にし、且つ、対となる食品挟み部の形状を異ならしめて多機能化したトングを提供する。【解決手段】下面が平坦面に形成された台板１の上面に握り柄部２、３を上方になるに従い外傾して設ける。握り柄部２の上端には、内面を窪ませ最も窪む位置には通水孔１０が穿設され、背面側端縁に開口する複数の溝９を設けた食品挟み部６が連設されている。握り柄部３の上端には内面が窪ませたスプーン形状に形成された食品挟み部７が連設されている。食品挟み部６、７の上端部には平坦面１１が対向形成され、正背方向に延びる滑り止め用凸条１３を設けている。【選択図】図１
2016022360.tif 000002
【特許請求の範囲】
【請求項１】
台板と、先端に対となる食品挟み部を夫々設けた１対の握り柄部とよりなるトングであって、
前記台板の下面は平坦面に形成され、
前記台板の上面には前記握り柄部の基端部を横幅方向に所定距離を有して離隔し、
前記対となる食品挟み部を互いに近接するように握り柄部に外方から内方に圧力を加えると、握り柄部に外方に付勢する力が働き、握り柄部を圧力から解放すると復元可能に、基端部から上端部に亘り僅かばかり外傾させて立設し、
前記対となる食品挟み部の対向面は食品を掬うことができるように窪み部を有する彎曲面に形成され、
一方の食品挟み部は、後端縁に正面方に窪む溝を凹設し、前記彎曲面の最も深底位置には通水孔が穿設され、上端には正背方向に延びる滑り止め用凸条が設けられ、
他方の食品挟み部には、対向する食品挟み部を近接すると前記滑り止め用凸条と交互になるように正背方向に延びる滑り止め用凸条が設けられたことを特徴とするトング。
【請求項２】
上記食品挟み部は、側視に於いて、握り柄部との境界から高さ方向長さの約１／５〜１／４の位置が最も背面方に突き出すスプーン形状に形成され、前記最も背面方に突き出す位置には突起を設けたことを特徴とする請求項１に記載のトング。
【発明の詳細な説明】
【技術分野】
【０００１】  本願発明は不使用時に調理台等に安定的に立てて置くことが可能なトングに関し、詳しくは食品挟み部に残存するソース類でトングを載置した調理台を汚すことがないようにした立て置き可能なトングに関する。
【背景技術】
【０００２】  １対の握持部の連結部外端面を平坦面にし、不使用時には先端の挟み部を上に向けて立て置きすることが出来るものとしては、安定的に立て置き可能に連結部の先端に端面が平坦面に形成された受容体を螺着可能にし、前記受容体には錘体を装着できるようにしたものが提案されている（例えば、特許文献１参照）。
特許文献１に開示の発明であると、錐体を収納する受容体を握持部下部に設ける構成であるので、重心が下部となり安定的に卓上に立て置きできるという長所がある。しかし、第１に錐体を収納するための受容体を螺着するために、１対の把持部の連結部を長さ方向に長くし受容体の中空部に錐体を収納して使用するため重量化し、使用により手が疲労し腱鞘炎等を引き起こすおそれがあるということ、第２に連結部基部と受容体との螺子切り溝に黴等が発生し汚れやすく手入れが面倒であること、第３に連結部が円柱状であるため使用時に周方向に回動し易く、手との摩擦により受容体と連結部の基部との螺合部が緩み受容体及び錐体がトング本体から脱落するおそれがあるという問題点があった。
握り部の下部に起立保持部を設け、握り部の上端左右両側から外傾した１対の挟持部を上方に延設し、挟持部の対向内面には挟持凸条を設け、挟持部の下部外面側には内方に窪む窪み部を上下に凹設して挟持部の弾性を良好にした食品用トングが開示されている（例えば、特許文献２参照）。
特許文献２に開示の食品用トングであると、挟持部の上部内側面が平坦面に複数の挟持凸条を横方向に平行に設けているので、スパゲティーや焼きそば等のソースを掬うことができず、又、挟持凸条が横方向に平行に設けられているため麺類を挟み取ろうとすると、挟持凸条がガイド作用を有し挟持凸条に沿って食品が滑り落ち易く、又、対となる挟持部の上部の形状が同一であるので食品を掬う用途に限定されているという問題点があった。
平坦な握持基部の両端部に挟持部を設け、挟持部の握持基部の各両側端には夫々内方に折り曲げた折辺を設け、握持基部から挟持部先端までの寸法が手の平に収まる大きさに形成されたトングが開示されている（例えば、特許文献３参照）。
特許文献３に開示のトングであると、折辺を鳥や骨等の塊状の食品表面に僅かに喰い込ませて摘み上げることには適している。しかし、麺等の滑りやすい食品や豆等の小体積の食品を掬うのに使用すると、平坦な挟持部内側面上を滑り落ち、摘むことも掬うこともできないという問題点があった。
ハンドル部の基部に突出部を設け、突出部から上方に緩やかに彎曲した後側部から下方に急彎曲した中間突出部を設けて上方に急彎曲し、中間突出部の外側面部に溝列を前傾させて設け、中間突出部から前方に緩やかにアーチ状に彎曲した前側部の上面は先端部は僅かばかり下降させ、この下降させた先端部の内側面に形成した垂直面部には溝列を前傾させて形成してなる食品用トングが提案されている（例えば、特許文献４参照）。
特許文献４に開示の食品用トングであると、突出部と中央突出部を卓上に接触させて載置する構成であるので、食品を摘む先端部分、詰まり中間突出部から先端部に亘る範囲は卓上に当接しないという作用効果を有する。しかし、トングを卓上に寝かせた状態で載置するため先端部に付着した汁や油等が卓上に滴下するおそれがあるという問題点があった。又、食品を摘む先端部は幅が極めて狭く、食品を摘むことはできても、多量の麺等を一度に掬い上げることはできず、ソース等も掬い取ることは不可能であるという問題点があった。
対となる挟持半体の基端部を反転回動自在に枢着し、一方の挟持半体の先端は挟持半体の軸心線の延長線上を最も深くした窪みを有するスプーン状にし、他方の挟持半体の先端は挟持半体の軸心線上を最も深くした窪みを有すると共に挟持半体の軸心線の延長線上を中心として左右両端縁に内側に窪む溝を形成したトングが開示されている（例えば、特許文献５参照）。
特許文献５に開示のトングであると、使用後のトングはそのまま皿に載置するか、若しくは洗浄後に何かに吊設して収納しなければならず、そのまま卓上に置くと卓上を料理のソースで汚しという問題点があった。
【先行技術文献】
【特許文献】
【０００３】
【特許文献１】第３１７１７９７号の登録実用新案公報
【特許文献２】第３１５２７４５号の登録実用新案公報
【特許文献３】第３１８９２１９号の登録実用新案公報
【特許文献４】第３１７４６２７号の登録実用新案公報
【特許文献５】特開２０１２−２３１９４８号公報
【特許文献６】特開２００５−１４４０９９号公報
【発明の概要】
【発明が解決しようとする課題】
【０００４】  本願発明は軽量で持ちやすく、対となる食品挟み部の一方の食品挟み部と他方の食品挟み部に夫々異なる機能を持たせて多用途化し、調理中の不使用時には食品挟み部を上方にして調理台に載置可能なトングを提供することを目的とする。
【課題を解決するための手段】
【０００５】  上記目的を達成するために本願発明のうち請求項１に記載の発明は、台板と、先端に対となる食品挟み部を夫々設けた１対の握り柄部とよりなるトングであって、前記台板の下面は平坦面に形成され、前記台板の上面には前記握り柄部の基端部を横幅方向に所定距離を有して離隔し、前記対となる食品挟み部を互いに近接するように握り柄部に外方から内方に圧力を加えると、握り柄部に外方に付勢する力が働き、握り柄部を圧力から解放すると復元可能に、基端部から上端部に亘り僅かばかり外傾させて立設し、前記対となる食品挟み部の対向面は食品を掬うことができるように窪み部を有する彎曲面に形成され、一方の食品挟み部は、後端縁に正面方に窪む溝を凹設し、前記彎曲面の最も深底位置には通水孔が穿設され、上端には正背方向に延びる滑り止め用凸条が設けられ、他方の食品挟み部には、対向する食品挟み部を近接すると前記滑り止め用凸条と交互になるように正背方向に延びる滑り止め用凸条が設けられたことを特徴とする。
請求項２に記載の発明は、請求項１に記載の発明の食品挟み部は、側視に於いて、握り柄部との境界から高さ方向長さの約１／５〜１／４の位置が最も背面方に突き出すスプーン形状に形成され、前記最も背面方に突き出す位置には突起を設けたことを特徴とする。
【発明の効果】
【０００６】  本願発明は、台板の下面を平坦面に形成しているので、調理中に調理台に台板下面を当接させてトングを立てて載置すると調理台上面と台板下面が密接し、調理台面への安定的な載置状態を保持し、再度すばやくトングを手にして調理することができるという効果がある。
本願発明は、対となる食品挟み部を異なる形状にし、夫々に固有の機能をもたせ、対となる食品挟み部で料理を挟む機能の他にも、ソースを掬う機能やソース等の液体を切ってできる限り固形物のみを掬うことができるという機能の３つの機能を持たせたという効果がある。
【図面の簡単な説明】
【０００７】
【図１】トングの斜視図である。（実施例１）
【図２】トングの正面図である。（実施例１）
【図３】トングの平面図である。（実施例１）
【図４】トングの底面図である。（実施例１）
【図５】トングの左側面図である。（実施例１）
【図６】トングを寝かせて卓上に載置した状態を示す斜視説明図である。（実施例１）
【発明を実施するための形態】
【０００８】  台板の下面を平坦面にすることで、台板を平坦面である調理台に安定的に載置するようにし、対となる食品挟み部に夫々異なる機能をもたせることで、対となる食品挟み部で食品を挟むことの他に一方の食品挟み部のみで汁をきって固形物のみを掬い取り、他方の食品挟み部のみで液体を掬い取ることができるようにし、食品を挟み持つ以外に多機能を持たせることを実現した。
【実施例１】
【０００９】  図１〜図６を参照にして実施例１を説明する。
台板１は下面が平坦面に形成されている。台板１の上面には、１対の握り柄部２、３が左右側縁より内側に於いて横方向に所定距離を有して離隔した位置に、上方になるに従い漸次外傾しながら上方向に延設されている。握り柄部２、３は帯板状に形成されており、面が対向するように台板１上面に対設されている。１対の握り柄部２、３の取り付け位置間を２分する位置は、台板１の中心線と重複する。【００１０】  握り柄部２、３の基部と上部との間の撓み変形が生じやすい握り柄部２、３の下部には対向面が互いに窪ませ厚みを薄くした凹部４、５を対設し、凹部４、５より上方の握り柄部２、３と凹部４、５より下方の基部との間を撓み易い形状にしている。【００１１】  握り柄部２の上端には食品挟み部６を、握り柄部３の上端には食品挟み部７を夫々連続的に設けている。食品挟み部６、７は、対向面が外側方に膨出する窪み部を形成し、側視が握り柄部２、３との境界から高さ方向長さの約１／５〜１／４の位置が最も背面方に突き出す略アーモンド形状に形成されている。食品挟み部６の溝９を除く周縁を結ぶ線で描かれる形状と食品挟み部７の側視形状が同一形状に形成されている。食品挟み部６、７の最も背面力に突き出す部分には、背面方に突出する突起８、８を設けている。【００１２】  食品挟み部６の背面端縁に於ける突起８の上側は、高さ方向に所定間隔を有して正面方に窪む溝９を複数設け、全体として側視が櫛歯状で恰も櫛或はフォークの先端部を９０度回転させて歯先が横向きになるような形状に形成されている。食品挟み部６の窪み部のうち最も窪んでいる位置には、通水孔１０が穿設されている。食品挟み部６の上端部と、食品挟み部７の上端部の対向面は、握り柄部２、３の対向内面の延長線上に位置する平坦面１１、１２が形成されている。平坦面１１には上下に正背方向に延びる滑り止め用凸条１３を設け、平坦面１２には正背方向に延びる滑り止め用凸条１４、１４を上下に離隔して設けている。平坦面１１と平坦面１２を対向近接した場合に、滑り止め用凸条１３、１４、１４で正面からみると食品をＷ状にして摘むことができるようにしている。【００１３】  次に、作用及び効果について説明する。
台板１の下面が平坦面に形成されているので、平坦面よりなる調理台に台板１の下面を当接すると、安定的に載置される。凹部４、５を握り柄部２、３の下部に設けているので、凹部４、５を支点として撓み、握り柄部２、３は元の外傾状態に戻ろうとする復元力を有し、台板１と握り柄部２、３とが折損しない。
食品挟み部６の溝９はフォークとしての作用を有し、食品挟み部６、７を近接すると、やきそばやスパゲティ等の食品を掬うことができ、通水孔１０が窪み部の最も窪む位置に穿設されているので、食品に付着しているソース等の液体を切った状態で麺類の固形食品を掬うことができる。
食品挟み部７の内面は窪んだスプーン形状に形成されているので、ソース等の液体を掬うことができ、盛り付けた調理済み麺等に調理器具内に残ったソース類を掬い取って振り掛けることが出来る。
食品挟み部６、７の対向内面上端部は平坦面１１、１２に形成され、平坦面１１と平坦面１２を当接すると、滑り止め用凸条１４、１４間に滑り止め用凸条１３が位置し、料理を正背視がＷ状に挟みこんで摘むことができる。
又、食品挟み部６、７の最も背面方に突出する部分に突起８、８を対設しているので、図６に示すように、握り柄部２、３を寝かせた状態で調理中に調理台に載置すると、突起８、８で食品挟む部６、７を支持し、料理が付着した食品挟み部６、７が調理台に接触せず、衛生的である。
【符号の説明】
【００１４】１  台板
２、３  握り柄部
６、７  食品挟み部
８  突起
９  溝
１０  通水孔
１１、１２  平坦面
１３、１４  滑り止め用凸条
【図１】
2016022360.tif 000003
【図２】
2016022360.tif 000004
【図３】
2016022360.tif 000005
【図４】
2016022360.tif 000006
【図５】
2016022360.tif 000007
【図６】
2016022360.tif 000008